(57)【要約】  本発明は、ベースプレート（２）と支持体（５）とを有し、かつ工具を用いずに航空機におけるギャレーモジュールなどのアセンブリの高さを調節することができるデバイス（１）に関する。  本発明では、２つの対向するウェッジ体（３，４）が、ベースプレート（２）と前記支持体（５）との間を、水平移動できるように配置されている。ロックレバー（２６，２７）が上げられ「調整位置」になったときに、２つのウェッジ体（３，４）を手動で逆方向に移動させると、支持体（５）が持ち上げられたり、下げられたりし、高さが調整される。アセンブリは、例えば支持体（５）の取り付け穴（４４）を通した公知のねじ結合で、支持体（５）に接続される。  無制御なウェッジ体（３，４）の移動によるデバイス（１）の調整不良は、ウェッジ体（３，４）内に回転可能に取り付けられ、バネによって応力が付されたロックレバー（２６，２７）によって防止される。それぞれのロックレバー（２６，２７）の位置はストッパー（３９，４０）によっても固定される。  本発明のデバイス（１）によれば、ユーザが工具を用いずにシンプルかつ迅速に、デバイス（１）上に配置されたアセンブリの高さを調節できる。これにより、予め組み立てられたアセンブリやモジュールを航空機に組み込む際の労力を著しく低減することができる。【選択図】  図１
2011504845.tif 000002
【特許請求の範囲】
【請求項１】
ベースプレート（２）と、支持体（５）とを有し、かつ航空機におけるギャレーモジュールなどのアセンブリの高さを工具を用いずに調整するデバイス（１）であって、
２つの対向するウェッジ体（３，４）が、前記ベースプレート（２）と前記支持体（５）との間を、前記高さ調整のために移動可能にガイドされるように配置され、前記ウェッジ体（３，４）は縦軸（８）に対して平行に移動しないように固定されうることを特徴とする、デバイス（１）。
【請求項２】
実質的に長方形の前記ベースプレート（２）の上面（６）の少なくとも複数の領域は、ベースプレート歯（２４）を有することを特徴とする、請求項１に記載のデバイス（１）。
【請求項３】
前記ベースプレート（２）の上面（６）の少なくとも複数の領域は、アリ凸部などの凸部（７）を有し、
前記凸部（７）は、それぞれの前記ウェッジ体（３，４）の底面（９，１０）の領域に形成されたアリ溝などの溝（１１，１２）に挿入され、
それぞれの前記ウェッジ体（３，４）は、前記ベースプレート（２）の縦軸（８）に対して平行に移動可能にガイドされることを特徴とする、請求項１または２に記載のデバイス（１）。
【請求項４】
それぞれの前記ウェッジ体（３，４）は、手動で前記縦軸（８）に対して垂直方向に回転されうるロックレバー（２６，２７）を収容し、
前記ロックレバー（２６，２７）の底面（２８，２９）の少なくとも一部の領域は、ロックレバー歯（３０，３１）を有し、前記ロックレバー（２６，２７）を下方に回転することで、前記ロックレバー歯（３０，３１）と、前記ベースプレート歯（２４）とが噛み合い、前記ウェッジ体（３，４）の位置を固定することを特徴とする、請求項１〜３のいずれか一項に記載のデバイス（１）。
【請求項５】
前記ロックレバー（２６，２７）には、それぞれの前記ロックレバー歯（３０，３１）と前記ベースプレート歯（２４）とが噛み合うように、シリンダースプリング（３７，３８）などのバネによって応力が加えられ、前記ベースプレート（２）上における前記ウェッジ体（３，４）の位置が固定されることを特徴とする、請求項１〜４のいずれか一項に記載のデバイス（１）。
【請求項６】
それぞれの前記ロックレバー（２６，２７）は、ストッパー（３９，４０）などの固定手段によって意図せぬ上方への回転、および汚れの粒子の侵入から守られることを特徴とする、請求項１〜５のいずれか一項に記載のデバイス（１）。
【請求項７】
前記ロックレバー（２６，２７）は、前記ウェッジ体（３，４）に形成され、かつ前記縦軸（８）に対して垂直方向に延びた凹部（３５，３６）に、回転可能に収容され、
前記ロックレバー（２６，２７）が下方に回されたとき、前記凹部（３５，３６）には、前記固定手段が挿入されうることを特徴とする、請求項１〜６のいずれか一項に記載のデバイス（１）。
【請求項８】
前記支持体（５）の底面（１８）は、互いに逆方向に傾き、中心線（２１）の領域で互いに接合する２つのアリ凸部などの凸部（１９，２０）を有することを特徴とする、請求項１〜７のいずれか一項に記載のデバイス（１）。
【請求項９】
それぞれの前記ウェッジ体（３，４）の上面（１４，１５）には、アリ溝などの傾斜溝（１６，１７）が形成され、それぞれの前記傾斜溝（１６，１７）は、互いに逆方向に傾き、前記傾斜溝（１６，１７）の傾きは、前記支持体（５）のそれぞれの凸部（１９，２０）の傾きに対応することを特徴とする、請求項１〜８のいずれか一項に記載のデバイス（１）。
【請求項１０】
前記ウェッジ体（３，４）を、前記縦軸（８）に対して平行にそれぞれ対向して移動させることで、前記支持体（５）が垂直軸（１３）に対して平行に上昇または下降することを特徴とする、請求項１〜９のいずれか一項に記載のデバイス（１）。
【請求項１１】
前記アセンブリは前記支持体（５）に接続されうることを特徴とする、請求項１〜１０のいずれか一項に記載のデバイス（１）。
【発明の詳細な説明】
【技術分野】
【０００１】
本発明は、ベースプレートと支持体とを有し、かつ工具を用いずに航空機におけるギャレーモジュールなどのアセンブリの高さを調節することができるデバイスに関する。
【背景技術】
【０００２】
最近の旅客機が有する厨房室（ギャレー：ｇａｌｌｅｙ）は、外部のサプライヤーや業者によって予め組立てられた状態（モジュールになった状態）で提供される。組立公差を完全に無くすことはできないことから、ギャレーモジュールを組み込む際、ギャレーホルダーとギャレーモジュールとの間で通常、誤差の補正（ｔｏｌｅｒａｎｃｅ  ｃｏｍｐｅｎｓａｔｉｏｎ）がなされる。このような問題は、機体構造の胴体に、予め組み立てられたモジュールやアセンブリを組み込む際にも生じる。
【０００３】
必要な誤差（特に高さ）の補正は、現在、シムプレート（ｓｈｉｍ  ｐｌａｔｅ）と呼ばれる、それぞれの厚さが同じか、またはそれぞれの厚さが異なる平らなスペーサまたはワッシャーを用いることでなされている。このようなシムプレートを用いた誤差の補正は、ギャレーホルダーとギャレーとの間に、多くの厚さの異なるシムプレートを挿入させたり、必要に応じて厚さの異なるシムプレートを組み合わせて、所望の高さを調節する必要があり、煩雑であった。１または複数のシムプレートを挿入・位置決めした後は、ギャレーが所望の位置に固定されるように、ギャレーの留めねじ（ｆａｓｔｅｎｉｎｇ  ｓｃｒｅｗｓ）を締める。その後、ギャレーの高さが所望の値と合致しているか否かを確認するためのチェックを行う。高さが所望の高さと合致していない場合、さらなるシムプレートやシムプレートの組み合わせを用いた手順を繰り返したり、留めねじを再び緩めたりすることが求められる。さらに、この方法では、異なる補正ディスク（ｃｏｍｐｅｎｓａｔｉｎｇ  ｄｉｓｃｓ）の集合を導入位置に配置することが求められ、航空機の安全のため、組立の際に部品が紛失しないよう細心の注意を払わなければならない。そして、工具を用いずにシムプレートを用いて高さを調節したり、シムプレートを用いて高さを連続可変的に調整したりすることは不可能であった。
【０００４】
または、高さ調整は、垂直のねじ立てされたブッシング（ｂｕｓｈｉｎｇ）をねじ込むことで実現することも可能である。この方法では、連続可変的な高さの調整が可能になるものの、調整のために特殊な工具が必要となる。また、比較的大きな高さの差を相殺するためには、ねじ立てされたブッシングをかなりの回数、回す必要がある。
【発明の概要】
【発明が解決しようとする課題】
【０００５】
本発明の目的は、航空機におけるアセンブリの高さを調整するためのデバイスを提供することである。本発明のデバイスによれば、アセンブリが紛失可能な部品なしに航空機の機体構造の胴体に導入されるとき、迅速かつ実質的に連続可変的にアセンブリの高さを、工具を用いずに調整することができる。
【課題を解決するための手段】
【０００６】
本発明の目的は請求項１の特徴を有するデバイスによって解決される。
【０００７】
高さ調整のための２つの対向するウェッジ体（ｗｅｄｇｅ  ｂｏｄｙ）が、ベースプレートと、支持体との間を、移動可能にガイドされ、かつウェッジ体が縦軸に対して平行に移動しないように固定されうるように配置されることで、迅速かつ、実質的に工具を必要としないか、または手動による高さ調整が提供される。本発明の手動による高さ調整は、ユーザの一度の手さばきによって実現されうる。さらに、本発明ではウェッジ体の対向移動（ｏｐｐｏｓｉｔｅｌｙ  ｍｏｖｉｎｇ）の変換率が高い。すなわちウェッジ体の比較的小さな水平方向の移動は、ほとんど比例関係でデバイスの垂直方向の移動に変換される。一方で、本発明では高さ調整のためには過剰な作動力を加える必要がない。
【０００８】
調節されたそれぞれのウェッジ体の水平方向の位置は、固定手段によって固定される。これにより無制御な（ｕｎｃｏｎｔｒｏｌｌｅｄ）ウェッジ体の移動およびデバイスの高さの変動を排除することができる。
【０００９】
本発明の好ましい実施の形態によれば、実質的に長方形のベースプレートの上面の少なくとも複数の領域は、ベースプレート歯を有する。
【００１０】
この特徴により、ウェッジ体の無制御な移動を防止する。
【００１１】
デバイスのさらに好ましい実施の形態によれば、ベースプレートの上面の少なくとも複数の領域は、凸部（特にアリ凸部）を有する。ベースプレートの上面の凸部（アリ凸部）は、ウェッジ体がベースプレートの縦軸に対して平行に移動可能にガイドされるよう、それぞれのウェッジ体の底面に形成された溝（特にアリ溝）に挿入されうる。
【００１２】
凸部および溝（特にアリ凸部およびアリ溝）の結合によるベースプレート上のウェッジ体のガイドは、低い機械間隔（ｍｅｃｈａｎｉｃａｌ  ｃｌｅａｒａｎｃｅ）と同時に、高い垂直方向におけるロード可能性と、容易な水平方向の移動性を提供する。さらに、ウェッジ体がベースプレートから外れることが防止される。そして、ベースプレートとそれぞれのウェッジ体とを一つのブロック体材料から、例えば公知の切断方法を用いて一体的に作製することが可能となる。
【００１３】
デバイスの他の実施の形態では、それぞれのウェッジ体は、手動で縦軸に対して垂直方向に回転可能なロックレバーを収容する。ロックレバーは、底面の少なくとも一部の領域にロックレバー歯を有する。
【００１４】
ロックレバーを下方に押すことで、ロックレバー歯がベースプレート歯との噛み合い、無制御なウェッジ体の水平方向の移動が防止される。このため、ロックレバーを上方に上げない限り、デバイスの高さが変動することはない。さらに、ベースプレート歯とロックレバーの歯とによって、実質的に連続可変的か、または段階が非常に細かい（ｖｅｒｙ  ｆｉｎｅｌｙ  ｇｒａｄｕａｔｅｄ）高さ調整が可能となる。アセンブリが導入される際、アセンブリの高さを調節するために、ロックレバーが上げられ（ロックが解除され）、それぞれのウェッジ体は、高さが調整されるまで、互いに逆方向に内側または外側に移動される。その後ロックレバーが下方に押されると、ベースプレート歯とロックレバー歯とが噛み合い、ウェッジ体が所定の場所に固定される。
【００１５】
デバイスのさらに好ましい実施の形態では、それぞれのロックレバーには、バネによって予め応力が加えられている。
【００１６】
この結果、下げられた（下方に押された）状態のロックレバーの底面のロックレバー歯は、バネのスプリング力によって、ベースプレート歯に堅固に圧入される。これにより、外部から力が加わった場合であっても、意図せぬウェッジ体の位置ずれが完全に排除される。ロック効果の、外部からの力に対する抵抗力を高めるため、互いに噛み合う歯（ベースプレート歯およびロックレバー歯）を大きくすることも可能である。用いられることができるバネの例には、らせんバネ、薄板コイルバネ（ｆｌａｔ  ｃｏｉｌ  ｓｐｒｉｎｇ）、板バネ（ｌｅａｆ  ｓｐｒｉｎｇ）、両側がＶ字型に配置されるらせんバネなどが含まれる。
【００１７】
デバイスの他の好ましい実施の形態は、さらなる請求項で開示されている。
【図面の簡単な説明】
【００１８】
【図１】図１は、デバイスの個々の構成要素を示す、デバイスの分解斜視図である。
【図２】図２は、組み立てられたデバイスの斜視図である。
【図３】図３は、デバイスの一部の透明斜視図である。
【発明を実施するための形態】
【００１９】
図面において同一の構成要素は、同一の符番を有する。
【００２０】
図１は、アセンブリの高さを調節するためのデバイスの一実施形態の分解斜視図である。
【００２１】
アセンブリの高さを調節するための本発明のデバイス１は、実質的に長方形のベースプレート２と、二つのウェッジ体３、４と、支持体５と、を有する。ベースプレート２の上面６には、縦軸８に平行に延びる凸部７（好ましくはアリ凸部）が設けられている。それぞれのウェッジ体３、４は、底面９および１０の領域に、溝１１、１２（好ましくはアリ溝）を有する。溝１１、１２は凸部７に合致するように構成される。アリ溝１１、１２によって、ウェッジ体３、４は、ベースプレート２の凸部７上を縦軸８に対して平行に移動可動にガイドされる。
【００２２】
ウェッジ体３、４は垂直軸１３に対して平行に移動することはできない。これにより、ウェッジ体３、４の確実かつスムーズなベースプレート２上での移動が確保される。それぞれのウェッジ体３、４の上面１４、１５にも、溝１６、１７（好ましくはアリ溝）が設けられている。本発明では、それぞれの溝１６、１７は、縦軸８に対して１０°〜４０°傾くように構成されている。さらにウェッジ体３、４の溝１６、１７は、それぞれ逆方向に傾いている。すなわちウェッジ体３、４は、互いに鏡像対称（ｍｉｒｒｏｒ−ｓｙｍｍｅｔｒｉｃａｌ）になるように構成される。
【００２３】
支持体５の底面１８は同様に、ウェッジ体３、４のアリ溝１６、１７に合致するように構成された２つの凸部１９、２０（好ましくはアリ凸部）を有する。アリ凸部１９、２０の少なくとも一部の領域は、アリ溝１６、１７に確実に挿入することができる。１０°〜４０°の傾斜角度を有する凸部１９、２０は、支持体５の中心線２１の領域で接触するように、互いに逆方向に傾いている。
【００２４】
支持体５の幾何学的形状は、Ｖ型屋根をひっくり返した形状とおおよそ同じである。支持体５の凸部１９、２０の傾斜角度は、それぞれのウェッジ体３、４の溝１６、１７の傾斜角度と一致する。それぞれのウェッジ体３、４を、同時に矢印２２方向または矢印２２の逆方向に移動させると、傾いた溝１６、１７または凸部１９、２０の作用により、ウェッジ体３、４の対向する水平方向の動きが、支持体５の垂直方向（矢印２３方向）の動きに変換される。これにより、支持体５に取り付けられたギャレーモジュールなどのアセンブリ（不図示）の高さを調節できる。ベースプレート２は、例えば、航空機の機体構造の胴体のフロアフレーム（不図示）やギャレー支持体（ｇａｌｌｅｙ  ｓｕｐｐｏｒｔ）などに接続される。
【００２５】
ベースプレート２と支持体５との間のウェッジ体３、４を、アリガイド（ｄｏｖｅｔａｉｌ  ｇｕｉｄａｎｃｅ）を用いる代わりに、例えばロッドおよびその上にガイドされるスライドブッシュや、線形のボールベアリング（ｌｉｎｅａｒ  ｂａｌｌ  ｂｅａｒｉｎｇ）を用いた縦方向のガイドのように、他の適切な線形ガイド（ｌｉｎｅａｒ  ｇｕｉｄａｎｃｅ）を用いて、移動させることも可能である。しかしながら、上記実施例で示したアリガイドは、最も少ない部品数で実現できるという重要なメリットを有する。さらに、ウェッジ体３、４、ベースプレート２および支持体５は、例えば、ＣＮＣ加工が容易なアルミニウム合金からなる所望の寸法を有するブロックなどの固体材料を切断加工することで、一体的に作製されうる。
【００２６】
ウェッジ体３、４が、無制御に縦軸８に対して平行移動することを防止するために、ベースプレート２の上面の少なくとも複数の領域は、ベースプレート歯（ｂａｓｅ  ｐｌａｔｅ  ｔｅｅｔｈ）２４を有する。ベースプレート歯２４は、ベースプレート２上の取り付け穴２５が配置された領域以外は、ベースプレート２の縦軸８方向全体に設けられる。さらに、デバイス１は、上方および下方に回転されうる２つのロックレバー（ｌｏｃｋ  ｌｅｖｅｒ）２６、２７を有する。ロックレバー２６、２７の底面２８、２９の少なくとも一部の領域は、ロックレバー歯３０、３１を備える。ロックレバー２６、２７がユーザによって下方（矢印３２方向）に押されると、ロックレバー歯３０、３１は、ベースプレート歯２４と噛み合う。ロックレバー２６、２７は、ウェッジ体３、４の内部の凹部３５、３６にピン３３、３４によって回転可能に収容または取り付けられる。ウェッジ体３、４に固定するためにロックレバー歯３０、３１と、ベースプレート歯２４とが常に、「固定位置」で噛み合うように、２つのロックレバー２６、２７は、（加圧）シリンダースプリング３７、３８または（加圧）らせんバネによって予め応力が加えられていることが好ましい。または、ウェッジ体３、４とロックレバー２６、２７とが適切な構造的接続を有するのであれば、圧縮または延ばされた状態の（ｃｏｍｐｒｅｓｓｉｏｎ  ｏｒ  ｔｒａｃｔｉｏｎ  ｃｏｎｆｉｇｕｒａｔｉｏｎ）の薄板コイルバネ（ｆｌａｔ  ｃｏｉｌ  ｓｐｒｉｎｇ）、板バネ（ｌｅａｆ  ｓｐｒｉｎｇ）、両側がＶ字型のらせんバネを用いることも可能である。詳細な説明は省略するが、実質的に四角形の凹部３５、３６の断面の寸法は、ロックレバー歯３０、３１がベースプレート歯２４から離れ、ロックレバー歯３０、３１とベースプレート歯２４との咬合が解除するまで、ユーザがロックレバー２６、２７を上方（矢印３２と反対方向）に回せるように設定される。この調整位置（ａｄｊｕｓｔｉｎｇ  ｐｏｓｉｔｉｏｎ）と呼ばれるロックレバー２６、２７の位置では、ウェッジ体３、４を工具を用いずに手動で縦軸８に対して平行移動させ、支持体５の高さを調整することができる。ウェッジ体３、４を外側に移動させると、支持体５が下げられ、ウェッジ体３、４を内側に移動させると、支持体５は垂直軸１３に対して平行に持ち上げられる。
【００２７】
支持体５が所望の高さに達すれば、ユーザはロックレバー２６、２７から手を離せばよい。その結果、ロックレバー２６、２７は、シリンダースプリング３７、３８の効果によって自動的に矢印３２方向に回り、再び「固定位置」に戻される。固定位置では、ロックレバー歯３０、３１がそれぞれベースプレート歯２４の一部と噛み合い、ウェッジ体３、４が水平方向に動けなくなる。
【００２８】
ベースプレート歯２４およびロックレバー歯３０、３１のそれぞれは、多数の、十分に細かく、好ましくは小さなプリズム状の歯から構成される。これにより、デバイス１で高さ補正ができる範囲では、実質的に連続可変的な様々な高さの調整と、ウェッジ体３、４の位置固定とが可能になる。符番が付されていないベースプレート歯２４およびロックレバー歯３０、３１のそれぞれ歯は、例えば高さが１ｍｍ以下、底辺の幅が２ｍｍ以下のおおよそ三角形の断面形状（正三角形の断面形状）を有する。それぞれの歯の長軸は、縦軸８に対して垂直である。歯は、これとは異なる幾何学形状を有していてもよい。
【００２９】
そして、ロックレバー２６、２７が下げられている状態では、追加的な固定手段としての２つのストッパー３９、４０が凹部３５、３６に圧入される。これにより、ロックレバー２６、２７上の空間が閉鎖され、ロックレバー２６、２７の上方への回転を排除し、無制御にデバイス１の高さが変動することを防止する。さらに、ストッパー３９、４０は、湿気や汚れの粒子がデバイス１に侵入することを防止し、デバイス１がいかなるときでも、簡便に使用できることを確実にする。
【００３０】
ロックレバー２６、２７はそれぞれ、ウェッジ体３、４内の穴に取り付けられたピン３３、３４を中心に回転できるように取り付けられる。二つの穴のうち第１のウェッジ体３の穴４１にのみ符番が付されているが、第２のウェッジ体４も同様の穴を有する。それぞれのロックレバー２６、２７は、後方端部にピン３３、３４を通すための貫通穴４２、４３を有する。
【００３１】
図２は、組み立てられた状態のデバイスの斜視図である。
【００３２】
デバイス１の、底面にアリ溝１１、１２を有するウェッジ体３、４は、ベースプレート２の歯２４を有する凸部７上でガイドされる。底面に２つの凸部１９、２０を有する支持体５は、移動可能に２つのウェッジ体３、４の上面の溝１６、１７に取り付けられる。図２では、ロックレバー２６、２７は、「固定位置」に位置する。さらにストッパー３９、４０が凹部３５、３６に圧入、または挿入され、ウェッジ体３、４の水平方向の移動が防止されている。ストッパー３９、４０は、凹部３５、３６に容易に圧入されうることから、ストッパー３９、４０自身が落下することが防止される。ストッパー３９、４０は、例えばベースプレート２またはウェッジ体３、４に固定テープ（不図示）で、外れないように接続されてもよい。支持体５には、少なくとも一つの取り付け穴（ａｔｔａｃｈｍｅｎｔ  ｈｏｌｅ）４４が、好ましくは支持体５の中心に設けられる。取り付け穴４４は、ギャレーモジュールなどのアセンブリ（不図示）や機能モジュール（ｆｕｎｃｔｉｏｎ  ｍｏｄｕｌｅ）と接続する。モジュールの高さはデバイス１によって、連続可変的に調節される。
【００３３】
図３は、組み立てられた状態のデバイスにおける左側のウェッジ体３の一部透明斜視図である。図示されないウェッジ体４の内部構造は、ウェッジ体３の内部構造と鏡像対称関係にある。ベースプレート２上には、左側のウェッジ体３が、アリガイド手段（ｄｏｖｅｔａｉｌｅｄ  ｇｕｉｄｅ  ｍｅａｎ）に、公知の手法で取り付けられている。ウェッジ体３がアリガイド手段に取り付けられることで、ウェッジ体３の水平方向の移動が可能になる。
【００３４】
ロックレバー２６は、シリンダースプリング３７の効果によって、下方に押しつけられ、その位置（固定位置）に固定される。固定位置ではベースプレート歯２４と、ロックレバー歯３０とが噛み合い、その結果ウェッジ体３は水平方向に移動できなくなる。このため、支持体５が勝手に持ち上げられたり、下げられたりすることはない。
【００３５】
支持体５の高さを調節するには、ユーザはストッパー３９、４０を取り外し、ロックレバー２６、２７を工具を用いずに手動で「調整位置」に達するまで持ち上げる。そしてストッパー３９、４０をロックレバー２６、２７の下の凹部３５、３６の中に挿入する。その結果、ロックレバー２６、２７は、ユーザが支持しなくとも、持ち上げられた状態で保持される。そして、デバイス１の所望の高さを達成するまで、ベースプレート２上でウェッジ体３、４をそれぞれ反対方向に移動させる。ロックレバー２６、２７を持ち上げられた状態で固定するストッパー３９、４０によって、ユーザは両手をアセンブリの高さ調節のために自由に用いることができる。所望の高さが達成され、ユーザが凹部３５、３６からストッパー３９、４０を取り外すと、２つのロックレバー２６、２７は、自動的に「固定位置」に戻される。最後にストッパー３９、４０をロックレバー２６、２７上の凹部３５、３６に圧入することで、ロックレバー２６、２７を「固定位置」に固定することができる。さらに、ストッパー３９、４０は、振動や揺れの際に騒音が発生することを防止する。
【００３６】
シリンダースプリング３７の一方端は、ロックレバー２６の上面４７の中心領域に形成された深さの浅い穴４６に収容され、シリンダースプリング３７の他方端は、ウェッジ体３の凹部３５の被覆面（ｃｏｖｅｒ  ｓｕｒｆａｃｅ）４８に形成され、かつ穴４６に対向する深さの浅い穴４５に収容される。これにより、シリンダースプリング３７が外側に滑ることが防止される。穴４５、４６の深さは浅い。図３に示されるように、ロックレバー２６は、ピン３３によって、第１のウェッジ体３内に回転できるように取り付けられている。図３では、ロックレバー２６の上方への動きは、凹部３５に挿入されたストッパー３９によってブロックされ、ロックレバー２６は「固定位置」に固定される。シリンダースプリング３８のロックレバー２７および凹部３６への固定も同様になされる（図１参照）。右側のウェッジ体４におけるシリンダースプリングの取り付けは、図３には示されない。
【００３７】
本発明のデバイス１によれば、高さ調整工程において、支持体５と、支持体５上に取り付けられた、例えばギャレーモジュールなどのアセンブリ（不図示）との間の（ネジ）接続を解除したり、再度ネジをねじ込む必要がない。同様の効果は、機体構造の胴体のフロアフレームなどに配置されたギャレー支持体などの基板（不図示）にベースプレート２を取り付ける際にも、得られる。このように、デバイス１を用いることで、組立労力を著しく低減することができる。
【符号の説明】
【００３８】
１  デバイス
２  ベースプレート
３  ウェッジ体（第１）
４  ウェッジ体（第２）
５  支持体
６  ベースプレートの上面
７  ベースプレートの凸部
８  縦軸
９  第１ウェッジ体の底面
１０  第２ウェッジ体の底面
１１  第１ウェッジ体の底面の溝
１２  第２ウェッジ体の底面の溝
１３  垂直軸
１４  第１ウェッジ体の上面
１５  第２ウェッジ体の上面
１６  第１ウェッジ体の上面の溝
１７  第２ウェッジ体の上面の溝
１８  支持体の底面
１９  支持体のバネ
２０  支持体のバネ
２１  支持体の頂上線の中心線
２２  矢印
２３  矢印
２４  ベースプレート歯
２５  ベースプレートの取り付け穴
２６  第１ウェッジ体のロックレバー
２７  第２ウェッジ体のロックレバー
２８  ロックレバーの底面
２９  ロックレバーの底面
３０  ロックレバー歯
３１  ロックレバー歯
３２  矢印
３３  ピン
３４  ピン
３５  第１ウェッジ体の凹部
３６  第２ウェッジ体の凹部
３７  シリンダースプリング
３８  シリンダースプリング
３９  ストッパー
４０  ストッパー
４１  第１ウェッジ体の穴
４２  ロックレバーの穴
４３  ロックレバーの穴
４４  支持体の取り付け穴
４５  シリンダースプリングの位置を固定するための穴
４６  シリンダースプリングの位置を固定するための穴
４７  第1ロックレバーの上面
４８  第１凹部の被覆面
【図１】
2011504845.tif 000003
【図２】
2011504845.tif 000004
【図３】
2011504845.tif 000005
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
ベースプレート（２）と、支持体（５）とを有し、かつ航空機におけるギャレーモジュールなどのアセンブリの高さを手動で調整するデバイス（１）であって、
２つの対向するウェッジ体（３、４）が、前記ベースプレート（２）と前記支持体（５）との間を、前記高さ調整のために移動可能にガイドされるように配置され、前記ウェッジ体（３、４）は縦軸（８）に対して平行に移動しないように固定されることができ、そして実質的に長方形の前記ベースプレート（２）の上面（６）の少なくとも複数の領域は、ベースプレート歯（２４）を有することを特徴とする、デバイス（１）。
【請求項２】
前記ベースプレート（２）の上面（６）の少なくとも複数の領域は、アリ凸部などの凸部（７）を有し、
前記凸部（７）は、それぞれの前記ウェッジ体（３、４）の底面（９、１０）の領域に形成されたアリ溝などの溝（１１、１２）に挿入され、
それぞれの前記ウェッジ体（３、４）は、前記ベースプレート（２）の縦軸（８）に対して平行に移動可能にガイドされることを特徴とする、請求項１に記載のデバイス（１）。
【請求項３】
それぞれの前記ウェッジ体（３、４）は、手動で前記縦軸（８）に対して垂直方向に回転されうるロックレバー（２６、２７）を収容し、
前記ロックレバー（２６、２７）の底面（２８、２９）の少なくとも一部の領域は、ロックレバー歯（３０、３１）を有し、前記ロックレバー（２６、２７）を下方に回転することで、前記ロックレバー歯（３０、３１）と、前記ベースプレート歯（２４）とが噛み合い、前記ウェッジ体（３、４）の位置を固定することを特徴とする、請求項１または２に記載のデバイス（１）。
【請求項４】
前記ロックレバー（２６、２７）には、それぞれの前記ロックレバー歯（３０、３１）と前記ベースプレート歯（２４）とが噛み合うように、シリンダースプリング（３７、３８）などのバネによって応力が加えられ、前記ベースプレート（２）上における前記ウェッジ体（３、４）の位置が固定されることを特徴とする、請求項１〜３のいずれか一項に記載のデバイス（１）。
【請求項５】
それぞれの前記ロックレバー（２６、２７）は、ストッパー（３９、４０）などの固定手段によって意図せぬ上方への回転、および汚れの粒子の侵入から守られることを特徴とする、請求項１〜４のいずれか一項に記載のデバイス（１）。
【請求項６】
前記ロックレバー（２６、２７）は、前記ウェッジ体（３、４）に形成され、かつ前記縦軸（８）に対して垂直方向に延びた凹部（３５、３６）に、回転可能に収容され、
前記ロックレバー（２６、２７）が下方に回されたとき、前記凹部（３５、３６）には、前記固定手段が挿入されうることを特徴とする、請求項１〜５のいずれか一項に記載のデバイス（１）。
【請求項７】
前記支持体（５）の底面（１８）は、互いに逆方向に傾き、中心線（２１）の領域で互いに接合する２つのアリ凸部などの凸部（１９、２０）を有することを特徴とする、請求項１〜６のいずれか一項に記載のデバイス（１）。
【請求項８】
それぞれの前記ウェッジ体（３、４）の上面（１４、１５）には、アリ溝などの傾斜溝（１６、１７）が形成され、それぞれの前記傾斜溝（１６、１７）は、互いに逆方向に傾き、前記傾斜溝（１６、１７）の傾きは、前記支持体（５）のそれぞれの凸部（１９、２０）の傾きに対応することを特徴とする、請求項１〜７のいずれか一項に記載のデバイス（１）。
【請求項９】
前記ウェッジ体（３、４）を、前記縦軸（８）に対して平行にそれぞれ対向させて移動させることで、前記支持体（５）が垂直軸（１３）に対して平行に上昇または下降することを特徴とする、請求項１〜８のいずれか一項に記載のデバイス（１）。
【請求項１０】
前記アセンブリは前記支持体（５）に接続されることを特徴とする、請求項１〜９のいずれか一項に記載のデバイス（１）。
【国際調査報告】
2011504845.tif 000006
2011504845.tif 000007
2011504845.tif 000008
2011504845.tif 000009
2011504845.tif 000010
2011504845.tif 000011